(57)【要約】【課題】強度を有し、変形しにくく、安定して載置され、携帯し易いとともに、ヒンジが裏側に突出しているので、分断部の表側で、服及び体が挟み込まれるのが抑制されている便座シート、及び該便座シートを備える携帯便器を提供する。【解決手段】便座シート１の載置部２の分断部２ａと２ｂとは第１ヒンジ３によって結合され、分断部２ａと２ｃと、分断部２ｂと２ｄとはそれぞれ第２ヒンジによって結合されている。第１ヒンジ３は、分断部２ａの裏面に突設された第１突出部３３と、分断部２ｂの裏面に突設された第２突出部３６と、ピン３７とを備えている。第１突出部３３及び第２突出部３６は、各々裏側に突出する脚部３１，３４と、ピン３７を挿通させるピン挿通部３２，３５とを備えている。第１ヒンジ３は、側面視が略Ｖ字状をなし、表側に隙間を有した状態で分断部２ａと２ｂとが結合されている。【選択図】図３
2008125988.tif 000002
【特許請求の範囲】
【請求項１】
先端部が分離した略Ｕ字の平板状をなす載置部を有する便座シートにおいて、
合成樹脂を基材とし、
前記載置部は、周方向に１又は複数、分断され、
前記載置部が分断された分断部同士は、ヒンジによって折り畳み可能に結合されており、
前記ヒンジは、
一方の分断部の裏面に突設された第１突出部と、
他方の分断部の裏面に突設された第２突出部と、
前記第１突出部及び第２突出部を回動可能に連結する連結部と
を備えることを特徴とする便座シート。
【請求項２】
前記連結部は、
前記第１突出部及び第２突出部の先端部に設けられたピン挿通部と、
該ピン挿通部に挿通されるピンと
を備える請求項１に記載の便座シート。
【請求項３】
前記載置部の先端部を通る中心線で該載置部を分断した部分に配される第１ヒンジを備え、
該第１ヒンジは、
前記第１突出部及び第２突出部に、各々裏側に突出する脚部を有し、
側面視が略Ｖ字状をなし、
表側に隙間を有した状態で分断部同士が結合されるように構成されている請求項２に記載の便座シート。
【請求項４】
前記中心線に直交する線で前記載置部を分断した部分に配される第２ヒンジを備え、
該第２ヒンジは、
第１突出部及び第２突出部に、面方向に張り出した張出部を有し、
前記第１突出部及び第２突出部の張出部が隣接している請求項３に記載の便座シート。
【請求項５】
フックに掛止するフック掛止部を備える請求項１乃至４のいずれかに記載の便座シート。
【請求項６】
前記載置部の裏面に、滑り止め部を備える請求項１乃至５のいずれかに記載の便座シート。
【請求項７】
折り畳み可能であり、展開したときに筒状をなす台座と、
載置部の裏面に、前記台座の上縁部に係合する係合部を備える請求項１乃至６のいずれかに記載の便座シートと
を備えることを特徴とする携帯便器。
【発明の詳細な説明】
【技術分野】
【０００１】
本発明は、Ｕ型又はＯ型の洋式便座の上面に載置され、補助便座等として用いられる便座シート及び該便座シートを備える携帯便器に関する。
【背景技術】
【０００２】
公衆便所の洋式便器は腰掛けて使用するので、汚れていなくても他人が使用した便座に座るのには抵抗があり、ティッシュペーパーやトイレットペーパーを便座に敷くこともあるが、この場合、ズレ易く不安定であった。
【０００３】
特許文献１には、紙製又はプラスチック製の少なくとも便座と接する面の所要部分に、発泡性インキ又は発泡性塗料により印刷又は塗装し、発泡させてなる使い捨て便座シートの発明が開示されている。この便座シートによれば、快適に公衆便所を使用することが出来る。
【特許文献１】実開平４−２５５９４号公報
【発明の開示】
【発明が解決しようとする課題】
【０００４】
しかし、特許文献１の便座シートは、携帯に不便であるという問題がある。
そして、公衆便所の洋式便器は、便座の内周側の穴部が大きく、従来の便座シートを子供が使用すると子供のお尻が嵌り落ちる危険性があり、しかも従来の便座シートは変形しやすく、ずれやすいので、大人が子供を支えなければならず、使用するのに不便であった。幼児用の補助便座は携帯するのには大きすぎ、不便である。
また、野外に出掛けたとき、災害時等において適宜の場所で使用することが出来る携帯便器が求められている。
【０００５】
本発明は、斯かる事情に鑑みてなされたものであり、合成樹脂を基材とし、載置部が周方向に１又は複数、分断され、載置部が分断された分断部同士は、ヒンジによって折り畳み可能に結合されており、ヒンジは、一方の分断部の裏面に突設された第１突出部と、他方の分断部の裏面に突設された第２突出部と、第１突出部及び第２突出部を回動可能に連結する連結部とを備えることにより、強度を有し、変形しにくく、安定して便座に載置され、水を弾き、携帯し易いとともに、ヒンジが裏側に突出しているので、分断部の表側で、服及び体が挟み込まれるのが抑制されている便座シートを提供することを目的とする。
【０００６】
また、本発明は、連結部は、第１突出部及び第２突出部の先端部に設けられたピン挿通部と、ピン挿通部に挿通されるピンとを備えることにより、折り畳み及び展開が容易に、確実に出来る便座シートを提供することを目的とする。
【０００７】
そして、本発明は、載置部の先端部を通る中心線で載置部を分断した部分に配される第１ヒンジを備え、第１ヒンジは、第１突出部及び第２突出部に、各々裏側に突出する脚部を有し、側面視が略Ｖ字状をなし、表側に隙間を有した状態で分断部同士が結合されるように構成されていることにより、使用時に、服及び体が挟み込まれることがない便座シートを提供することを目的とする。
【０００８】
さらに、本発明は、前記中心線に直交する線で載置部を分断した部分に配される第２ヒンジを備え、第２ヒンジは、第１突出部及び第２突出部に、面方向に張り出した張出部を有し、第１突出部及び第２突出部の張出部が隣接するように構成することにより、便座シートを展開したときの１／４の大きさまで折り畳むことが出来、コンパクトになり、洋式便器への載置も安定する便座シートを提供することを目的とする。
【０００９】
また、本発明は、フックに掛止するフック掛止部を備えることにより、不使用時には、トイレのドア等に設けられたフックに係止して収納することが出来る便座シートを提供することを目的とする。
【００１０】
さらに、本発明は、折り畳み可能であり、展開したときに筒状をなす台座と、載置部の裏面に、台座の上縁部に係合する係合部を備える上記のいずれかの便座シートとを備えることにより、野外に出掛けたとき、災害時等に、適宜の場所で使用することが出来る携帯便器を提供することを目的とする。
【課題を解決するための手段】
【００１１】
第１発明に係る便座シートは、先端部が分離した略Ｕ字の平板状をなす載置部を有する便座シートにおいて、合成樹脂を基材とし、前記載置部は、周方向に１又は複数、分断され、前記載置部が分断された分断部同士は、ヒンジによって折り畳み可能に結合されており、前記ヒンジは、一方の分断部の裏面に突設された第１突出部と、他方の分断部の裏面に突設された第２突出部と、前記第１突出部及び第２突出部を回動可能に連結する連結部とを備えることを特徴とする。
【００１２】
本発明においては、便座シートが合成樹脂を基材とするので、強度を有し、変形しにくく、水を弾き、水に濡れても破損しない。洋式便器の便座へ、安定した状態で載置される。
そして、１又は複数のヒンジを有し、折り畳み可能であるので、携帯に便利である。
さらに、ヒンジが裏側に突出しているので、分断部の表側で、服及び体が挟み込まれるのが抑制されている。
従って、補助便座として、トイレトレーニング中である幼児が外出先の公衆便所等で安心して使用することも可能である。
【００１３】
第２発明に係る便座シートは、第１発明において、前記連結部は、前記第１突出部及び第２突出部の先端部に設けられたピン挿通部と、該ピン挿通部に挿通されるピンとを備えることを特徴とする。
【００１４】
本発明においては、折り畳み及び展開が容易に、確実に出来る。
【００１５】
第３発明に係る便座シートは、第２発明において、前記載置部の先端部を通る中心線で該載置部を分断した部分に配される第１ヒンジを備え、該第１ヒンジは、前記第１突出部及び第２突出部に、各々裏側に突出する脚部を有し、側面視が略Ｖ字状をなし、表側に隙間を有した状態で分断部同士が結合されるように構成されていることを特徴とする。
【００１６】
本発明においては、ヒンジは載置部の裏側に突出し、分断部同士が表側で隙間を有して結合されるように構成されているので、使用するときに、服及び体が挟み込まれることがない。
【００１７】
第４発明に係る便座シートは、第３発明において、前記中心線に直交する線で前記載置部を分断した部分に配される第２ヒンジを備え、該第２ヒンジは、第１突出部及び第２突出部に、面方向に張り出した張出部を有し、前記第１突出部及び第２突出部の張出部が隣接していることを特徴とする。
【００１８】
本発明においては、便座シートを展開したときの１／４の大きさまで折り畳むことが出来るので、さらにコンパクトになる。そして、洋式便器の便座への載置もさらに安定する。
【００１９】
第５発明に係る便座シートは、第１乃至第４発明のいずれかにおいて、フックに掛止するフック掛止部を備えることを特徴とする。
【００２０】
本発明においては、不使用時には、トイレのドア等に設けられたフックに係止して収納することが出来る。
【００２１】
第６発明に係る便座シートは、第１乃至第５発明のいずれかにおいて、前記載置部の裏面に、滑り止め部を備えることを特徴とする。
【００２２】
本発明においては、便座への載置が安定する。
【００２３】
第７発明に係る携帯便器は、折り畳み可能であり、展開したときに筒状をなす台座と、載置部の裏面に、前記台座の上縁部に係合する係合部を備える第１乃至第６発明のいずれかの便座シートとを備えることを特徴とする。
【００２４】
本発明においては、野外に出かけたとき、災害時等に、適宜の場所で使用することが出来る。
【発明の効果】
【００２５】
本発明によれば、合成樹脂を基材とし、載置部が周方向に１又は複数、分断され、載置部が分断された分断部同士は、ヒンジによって折り畳み可能に結合されており、ヒンジは、一方の分断部の裏面に突設された第１突出部と、他方の分断部の裏面に突設された第２突出部と、第１突出部及び第２突出部を回動可能に連結する連結部とを備えているので、強度を有し、変形しにくく、固定が安定し、水を弾き、携帯し易い。
そして、ヒンジが裏側に突出しているので、分断部の表側で、服及び体が挟み込まれるのが抑制されている。
本発明によれば、補助便座として用いた場合にも安心して使用することが可能である。
【００２６】
また、本発明によれば、連結部は、第１突出部及び第２突出部の先端部に設けられたピン挿通部と、ピン挿通部に挿通されるピンとを備えているので、折り畳み及び展開が容易に、確実に出来る。
【００２７】
そして、本発明によれば、載置部の先端部を通る中心線で載置部を分断した部分に配される第１ヒンジを備え、第１ヒンジは、第１突出部及び第２突出部に、各々裏側に突出する脚部を有し、側面視が略Ｖ字状をなし、表側に隙間を有した状態で分断部同士が結合されるように構成されているので、使用時に、服及び体が挟み込まれることがない。
【００２８】
さらに、本発明によれば、前記中心線に直交する線で前記載置部を分断した部分に配される第２ヒンジを備え、第２ヒンジは、第１突出部及び第２突出部に、面方向に張り出した張出部を有し、第１突出部及び第２突出部の張出部が隣接しているので、便座シートを展開したときの１／４の大きさまで折り畳むことが出来、さらにコンパクトになる。
そして、洋式便器への載置も安定する。
【００２９】
また、本発明によれば、フックに掛止するフック掛止部を備えているので、不使用時には、トイレのドア等に設けられたフックに係止して収納することが出来る。
【００３０】
そして、本発明によれば、載置部の裏面に滑り止め部を備えているので、洋式便器の便座への固定がさらに安定する。
【００３１】
さらに、本発明によれば、展開したときに筒状をなす台座と、載置部の裏面に、台座の上縁部に係合する係合部を備える上記のいずれかの便座シートとを備えるので、野外に出掛けたとき、災害時等に適宜の場所で使用することが出来る。
【発明を実施するための最良の形態】
【００３２】
以下、本発明をその実施の形態を示す図面に基づき具体的に説明する。
図１は、本発明の実施の形態に係る便座シート１を洋式便器１０に載置した状態を示す斜視図、図２は、便座シート１を示す斜視図、図３は、便座シート１を裏側から見た斜視図、図４は、便座シート１を示す平面図、図５は、便座シート１を示す裏面図である。
【００３３】
洋式便器１０は、便器本体１１の基端部に設けた枢支部１１ａに共通支持された便座１２及び便器蓋１３が順次便器本体１１に被さるように構成されている。便座１２は、略卵形状の穴部１２ａに対して、外周が略放物線状をなしており、背部は前部より環幅が広くなるように形成されている。
【００３４】
例えばポリプロピレン製の便座シート１の載置部２は、洋式便器１０の全周に亘って、便座１２に載置され得るような略Ｕ字型の形状を有しており、先端側で分断している。便座シート１の内周側の穴部１ａの大きさは、便座１２の穴部１２ａの大きさより小さく、便座シート１は、幼児用の補助便座として用いられる。
【００３５】
便座シート１の載置部２は、洋式便器１０の前後方向の中心線で２分割するように分断され、さらに前記中心線に直交する線で２分割するように分断されており、分断部２ａ，２ｂ，２ｃ，２ｄに分割されている。分断部２ａと２ｂとは第１ヒンジ３によって結合され、分断部２ａと２ｃとは第２ヒンジ４によって結合され、分断部２ｂと２ｄとは第２ヒンジ４によって結合されている。
【００３６】
第１ヒンジ３は、分断部２ａの裏面に突設された第１突出部３３と、分断部２ｂの裏面に突設された第２突出部３６と、ピン３７とを備えている。第１突出部３３及び第２突出部３６は、各々裏側に突出する脚部３１，３４と、ピン３７を挿通させるピン挿通部３２，３５とを備えている。ピン挿通部３２とピン挿通部３５とが交互に配されるように、第１突出部３３と第２突出部３６とは、分断部２ａ，２ｂの裏面に並設されている。ピン挿通部３２、ピン挿通部３５、及びピン３７で連結部が構成される。
【００３７】
第２ヒンジ４，４は、分断部２ｃ，２ｄの裏面に突設された第１突出部４４，４４と、分断部２ａ，２ｂの裏面に突設された第２突出部４８，４８と、ピン４９，４９とを備えている。
第１突出部４４及び第２突出部４８は、裏側に突出する脚部４１，４５と、ピン４９を挿通させるピン挿通部４３，４７と、面方向に張り出した張出部４２，４６とを有している。張出部４２，４６が隣接するように、第１突出部４４と第２突出部４８とは、分断部２ｃ，２ｄの裏面、及び分断部２ａ，２ｂの裏面に並設されている。
上述したように、第１ヒンジ３は裏側に大きく突出しており、便座シート１は幅方向の中央部が盛り上がっているが、第２ヒンジ４，４の裏側への突出長は、第１ヒンジ３の突出長より短いので、便座シート１は便座１２へ安定して載置され得る。
【００３８】
便座シート１の基端部側には、この便座シート１を折り畳んだときに、トイレのドア等に設けられたフックに係止されるように、半リング状のフック係止部５，５が設けられている。フック係止部５，５は、幼児が便座１２の基端部側に向かって便座シート１にまたがるように座る場合に、把手としても用いられ得る。
【００３９】
また、載置部２の裏面には、平面視が鉤括弧状をなし、後述する台座７の上縁部に係合される係合部６，６，６，６が、便座シート１の穴部１ａを包囲するように、内面を穴部１ａに向けた状態で配されている。
そして、便座シート１の基端部側の外縁部に沿って、ポリエチレン、ＣＲ（クロロプレンゴム）等からなるスポンジ状の滑り止め部８，８，８，８が設けられており、先端部側の係合部６，６の外縁に沿って、滑り止め部８，８が設けられている。
この滑り止め部８，８，８，８，８，８により便座シート１の便座１２への載置が安定する。
【００４０】
図６は、便座シート１を折り畳んだ状態を示す平面図である。
便座シート１は、第２ヒンジ４，４により分断部２ｃ，２ｄを２ａ，２ｂの裏面側に回転させて長さが１／２になるように折り曲げ、さらにヒンジ３により分断部２ｂを分断部２ａの裏面側に回転させて幅が１／２になるように折り曲げることで、展開したときの１／４の大きさに折り畳まれる。
従って、コンパクトになり、携帯に便利である。
【００４１】
以上のように構成された便座シート１は、合成樹脂を基材とするので、強度を有し、変形しにくく、水を弾き、水に濡れても破損しない。洋式便器１０の便座１２への載置も安定し、補助便座として安心して使用することが可能である。
そして、第１ヒンジ３及び第２ヒンジ４，４を有し、折り畳み可能であるので、携帯し易い。
【００４２】
また、第１ヒンジ３は、側面視が略Ｖ字状をなし、表側に隙間を有した状態で分断部２ａと２ｂとが結合されているので、便座シート１を展開したときに、服及び体が挟まれることがない。
第２ヒンジ４，４においても、便座シート１を展開したときに、服及び体が挟まれることが抑制されている。
【００４３】
図７は、台座７を示す斜視図である。
例えばダンボール製の台座７は、折り畳み可能であり、展開したときに角筒状をなす。台座７は、下側の４つの角部に脚部７ａ，７ａ，７ａ，７ａを有し、上側の４つの角部に、前記係合部６，６，６，６に係合される係合凸部７ｂ，７ｂ，７ｂ，７ｂを有している。
【００４４】
図８は、便座シート１を台座７に載置した状態を示す斜視図である。
台座７を展開し、係合凸部７ｂ，７ｂ，７ｂ，７ｂを便座シート１の係合部６，６，６，６に係合させることで、便座シート１は台座７上に容易に、固定が安定した状態で載置され、便座とされる。
従って、携帯便器として、野外に出かけたとき、災害時等に、適宜の場所で使用することが出来る。
【００４５】
前記実施の形態においては、便座シート１を補助便座として用いた場合につき説明しているがこれに限定されるものではなく、穴部１ａの大きさを適宜の大きさに設定することで、成人の携帯用便座シートとしても用いることが出来る。
また、前記実施の形態においては、便座シート１を携帯便器の便座としても使用可能な場合につき説明しているがこれに限定されるものではなく、便座シート１は単独で携帯用の便座シートとして用いられ得る。
【００４６】
さらに、材質、形状も前記実施の形態において説明した場合に限定されず、種々の設計変更が可能である。
また、前記実施の形態においては、第１ヒンジ３の連結部が、ピン挿通部３２、ピン挿通部３５、及びピン３７から構成される場合につき説明しているがこれに限定されるものではなく、第１突出部３３と第２突出部３６とが薄板により回動可能に連結されるように構成されることにしてもよい。
【図面の簡単な説明】
【００４７】
【図１】本発明の実施の形態に係る便座シートを洋式便器に載置した状態を示す斜視図である。
【図２】便座シートを示す斜視図である。
【図３】便座シートを裏側から見た斜視図である。
【図４】便座シートを示す平面図である。
【図５】便座シートを示す裏面図である。
【図６】便座シートを折り畳んだ状態を示す平面図である。
【図７】台座を示す斜視図である。
【図８】便座シートを台座に載置した状態を示す斜視図である。
【符号の説明】
【００４８】
１  便座シート
２  載置部  
２ａ、２ｂ、２ｃ、２ｄ  分断部
３  第１ヒンジ
３１、３４  脚部
３２、３５  ピン挿通部
３３  第１突出部
３４  第２突出部
３７  ピン
４  第２ヒンジ
４１、４５  脚部
４２、４６  張出部
４３、４７  ピン挿通部
４４  第１突出部
４８  第２突出部
４９  ピン
５  フック係止部
６  係合部
７  台座
７ａ  脚部
７ｂ  係合凸部
８  滑り止め部
【図１】
2008125988.tif 000003
【図２】
2008125988.tif 000004
【図３】
2008125988.tif 000005
【図４】
2008125988.tif 000006
【図５】
2008125988.tif 000007
【図６】
2008125988.tif 000008
【図７】
2008125988.tif 000009
【図８】
2008125988.tif 000010